(57)【要約】【課題】  コーナー部品の取付けにネジ止めが不要であり、施工性・メンテナンス性の良い建具の提供。【解決手段】  縦枠１と横枠２とコーナー部品３とを備え、縦枠１と横枠２はアングル部４ｂ，４ｃを有し、縦枠１と横枠２の少なくとも一方に、内周側に突出する突出壁５を有し、コーナー部品３は、縦枠１のアングル部４ｂの長手方向端部２０ａと横枠２のアングル部４ｃの長手方向端部２０ｂ間に保持される回転規制部６と、突出壁５に係合又は接着される見込方向移動規制部７を有する。【選択図】      図１
2019078075.tif 000002
【特許請求の範囲】
【請求項１】
縦枠と横枠とコーナー部品とを備え、縦枠と横枠はアングル部を有し、縦枠と横枠の少なくとも一方に、内周側に突出する突出壁を有し、コーナー部品は、縦枠のアングル部の長手方向端部と横枠のアングル部の長手方向端部間に保持される回転規制部と、突出壁に係合又は接着される見込方向移動規制部を有することを特徴とする建具。
【請求項２】
縦枠と横枠とコーナー部品とを備え、縦枠と横枠はアングル部を有し、コーナー部品は、縦枠のアングル部の長手方向端部と横枠のアングル部の長手方向端部間に保持される回転規制部と、縦枠又は横枠のアングル部と係合する見込方向移動規制部を有することを特徴とする建具。
【発明の詳細な説明】
【技術分野】
【０００１】
本発明は、建具に関する。
【背景技術】
【０００２】
特許文献１には、下枠に内装材覆い部（いわゆるアングル部）が開口部の縁部に設けられ、縦枠に内装材覆い部が開口部の縁部より外側に配置され、下枠の内装材覆い部と縦枠の内装材覆い部とを繋ぐ中継覆い部材を設けた建具が記載されている。この中継覆い部材は、縦枠の内装材覆い部に外周側からネジ止めにより固定しているため、施工性・メンテナンス性がよくなかった。
【先行技術文献】
【特許文献】
【０００３】
【特許文献１】特許第４９５５６３６号公報
【発明の概要】
【発明が解決しようとする課題】
【０００４】
本発明は以上に述べた実情に鑑み、コーナー部品の取付けにネジ止めが不要であり、施工性・メンテナンス性の良い建具の提供を目的とする。
【課題を解決するための手段】
【０００５】
上記の課題を達成するために請求項１記載の発明による建具は、縦枠と横枠とコーナー部品とを備え、縦枠と横枠はアングル部を有し、縦枠と横枠の少なくとも一方に、内周側に突出する突出壁を有し、コーナー部品は、縦枠のアングル部の長手方向端部と横枠のアングル部の長手方向端部間に保持される回転規制部と、突出壁に係合又は接着される見込方向移動規制部を有することを特徴とする。
【０００６】
請求項２記載の発明による建具は、縦枠と横枠とコーナー部品とを備え、縦枠と横枠はアングル部を有し、コーナー部品は、縦枠のアングル部の長手方向端部と横枠のアングル部の長手方向端部間に保持される回転規制部と、縦枠又は横枠のアングル部と係合する見込方向移動規制部を有することを特徴とする。
【発明の効果】
【０００７】
請求項１記載の発明による建具は、コーナー部品に縦枠のアングル部の長手方向端部と横枠のアングル部の長手方向端部間に保持される回転規制部と、突出壁に係合又は接着される見込方向移動規制部を有することで、コーナー部品の取付けにネジ止めが不要であり、施工性・メンテナンス性が良い。
【０００８】
請求項２記載の発明による建具は、コーナー部品に縦枠のアングル部の長手方向端部と横枠のアングル部の長手方向端部間に保持される回転規制部と、縦枠又は横枠のアングル部と係合する見込方向移動規制部を有することで、コーナー部品の取付けにネジ止めが不要であり、施工性・メンテナンス性が良い。
【図面の簡単な説明】
【０００９】
【図１】コーナー部品の取付け方を示す縦断面図である。
【図２】本発明の建具の第１実施形態を示す縦断面図である。
【図３】同建具の横断面図である。
【図４】同建具の下枠側を拡大して示す縦断面図である。
【図５】同建具の一方の縦枠側を拡大して示す横断面図である。
【図６】同建具の縦枠と下枠とのコーナー部を室内側から見た正面図である。
【図７】同建具の縦枠と下枠とのコーナー部を示す斜視図である。
【図８】同建具の縦枠と下枠とのコーナー部の室内側正面図であって、コーナー部品を取付ける前の状態を示す。
【図９】（ａ）はコーナー部品の平面図、（ｂ）はコーナー部品の室内側正面図、（ｃ）はコーナー部品の底面図、（ｄ）はコーナー部品の側面図、（ｅ）はＡ−Ａ断面図、（ｆ）はＢ−Ｂ断面図である。
【図１０】（ａ）は第１実施形態の建具の変形例を示す縦断面図であり、（ｂ）は同建具の横断面図である。
【図１１】図１０に示す建具の縦枠と下枠とのコーナー部を室内側から見た正面図である。
【図１２】（ａ）は図１０に示す建具に用いられるコーナー部品の平面図、（ｂ）は同コーナー部品の室内側正面図、（ｃ）は同コーナー部品の側面図である。
【図１３】（ａ）は第１実施形態の建具の他の変形例を示す縦断面図であり、（ｂ）は同建具の横断面図である。
【図１４】図１３に示す建具の縦枠と下枠とのコーナー部を室内側から見た正面図である。
【図１５】（ａ）は図１３に示す建具に用いられるコーナー部品の平面図、（ｂ）は同コーナー部品の室内側正面図、（ｃ）は同コーナー部品の側面図である。
【図１６】本発明の建具の第２実施形態を示す上枠と縦枠とのコーナー部の室内側正面図である。
【図１７】（ａ）は本発明の建具の第３実施形態を示す縦断面図であり、（ｂ）は同建具の横断面図である。
【図１８】第３実施形態の建具の縦枠と下枠とのコーナー部を室内側から見た正面図である。
【図１９】第３実施形態の建具の縦枠と下枠とのコーナー部の室内側正面図であって、コーナー部品を取付ける前の状態を示す。
【図２０】第３実施形態の建具におけるコーナー部品の取付状態を示す縦断面図である。
【図２１】（ａ）は本発明の建具の第４実施形態を示す縦断面図であり、（ｂ）は同建具の横断面図である。
【図２２】第４実施形態の建具の縦枠と下枠とのコーナー部を室内側から見た正面図である。
【図２３】第４実施形態の建具の縦枠と下枠とのコーナー部の室内側正面図であって、コーナー部品を取付ける前の状態を示す。
【図２４】第４実施形態の建具におけるコーナー部品の取付状態を示す縦断面図である。
【発明を実施するための形態】
【００１０】
以下、本発明の実施の形態を図面に基づいて説明する。図２〜９は、本発明の建具の第１実施形態であって、コーナー部品３は見込方向移動規制部７を縦枠１の突出壁５に係合し、アングル部４ｂ，４ｃの見付部２１を覆う覆い部２２ａ，２２ｂを縦枠１側、横枠（下枠２）側とも残す場合を示している。本建具は、図２，３に示すように、躯体開口部に取付けられる枠８と、枠８内に上下枠１２，２に沿って摺動可能に納めた外障子９と内障子１０と網戸１１とを備え、掃出し窓タイプの引違い窓となっている。
【００１１】
枠８は、図２，３，６に示すように、樹脂製の押出形材よりなる上枠１２と下枠２と左右の縦枠１，１の両端部をそれぞれ斜め４５°に切断し、端部同士を突き合わせて溶着することで矩形に枠組みされている。上枠１２と左右の縦枠１，１は、図２，３に示すように、断面形状が同一となっており、室内側端部に室内側に向けて突出するアングル部４ａ，４ｂと、内周側に向けて突出する突出壁５を有している。上枠１２と縦枠１のアングル部４ａ，４ｂは、造作材としての額縁１３の室外側端部の内周側に重ねてビス１４で固定してある。
下枠２は、上枠１２及び縦枠１と断面形状が若干異なっており、室内側端部に室内側に向けて突出するアングル部４ｃが内周側端部に形成してある。下枠２のアングル部４ｃは、造作材としての床材１５の室外側端部に重ねてビス１４で固定してある。
【００１２】
このように、縦枠１はアングル部４ｂが突出壁５の分だけ枠８の開口縁部より外周側に形成され、下枠２はアングル部４ｃが枠８の開口縁部に形成されており、縦枠１と下枠２でアングル部４ｂ，４ｃの位置が内外周方向で異なっているため、縦枠１と下枠２のアングル部４ｂ，４ｃの長手方向端部同士を突き合わせることができない。なお、縦枠１及び下枠２のアングル部４ｂ，４ｃは、図８に示すように、長手方向の端部がそれぞれ切り欠かれている。そこで本建具は、図６，７に示すように、縦枠１と下枠２とのコーナー部内周側にコーナー部品３を取付け、コーナー部品３により縦枠１のアングル部４ｂと下枠２のアングル部４ｃとを繋いでいる。
【００１３】
コーナー部品３は、樹脂で一体成形したものであり、図４，５，７に示すように、縦枠１のアングル部４ｂの内周側に当接する縦壁１６と、下枠２のアングル部４ｃの内周側に当接する横壁１７と、縦枠１の突出壁５の室内側に当接する見付壁１８を有している。さらにコーナー部品３は、図９に示すように、横壁１７の外周側（下面側）に回転規制部６を有すると共に、見付壁１８の上部にフック状の見込方向移動規制部７を有している。回転規制部６は、縦枠１側の端部と下枠２側の端部とに弾性変形自在な爪片１９がそれぞれ設けてある。
本コーナー部品３は、図１（ｃ）に示すように、回転規制部６が縦枠１のアングル部４ｂの長手方向端部２０ａと下枠２のアングル部４ｃの長手方向端部２０ｂ間に保持されることで回転が規制され、且つ図５に示すように、見込方向移動規制部７が縦枠１の突出壁５に係止することで見込方向の移動が規制されるため、ネジ止めすることなくコーナー部に安定して取付けられる。
【００１４】
コーナー部品３の取付け方は、図１（ａ）に示すように、見込方向移動規制部７の上端側を縦枠１の突出壁５に内周側から係止させ、図１（ｂ）に示すように、その係止部を支点としてコーナー部品３を外周側に向けて回転させる。すると、図１（ｃ）に示すように、回転規制部６の両端部に形成された爪片１９が、縦枠１のアングル部４ｂの長手方向端部２０ａと下枠２のアングル部４ｃの長手方向端部２０ｂとにそれぞれ弾発的に係止し、回転規制部６が両アングル部４ｂ，４ｃの長手方向端部２０ａ，２０ｂ間に保持され、且つ見込方向移動規制部７が縦枠１の突出壁５と係合しているため、コーナー部品３は不用意に外れることがない。
コーナー部品３を取外す際には、マイナスドライバー等の工具の先端をコーナー部品３の横壁１７と下枠２のアングル部４ｃ間に差し込み、横壁１７の先端を持ち上げるようにすれば、簡単に取り外すことができる。
【００１５】
さらに本コーナー部品３は、図４〜７に示すように、縦壁１６と横壁１７の室内側端部に沿って外周側に突出する形で、縦枠１及び下枠２のアングル部４ｂ，４ｃの見付部２１を覆う覆い部２２ａ，２２ｂが形成してある。各覆い部２２ａ，２２ｂは、図９に示すように、縦壁１６及び横壁１７との付け根部分に室内側から溝２３が形成してあり、当該溝２３にカッター等で切れ目を入れることで、簡単に折り取りできるようになっている。なお、図４〜７に示す例では、縦枠１側と下枠２側の覆い部２２ａ，２２ｂを両方とも折り取らずに残してある。
【００１６】
図１０〜１２は、第１実施形態の建具の変形例であって、コーナー部品３は見込方向移動規制部７を縦枠１の突出壁５に係合し、アングル部４ｂ，４ｃの見付部２１を覆う覆い部２２ａ，２２ｂを縦枠１側のみ折り取った場合を示している。本建具も、掃出し窓タイプの引違い窓となっており、図１０に示すように、上枠１２及び左右の縦枠１，１のアングル部４ａ，４ｂが固定される額縁１３が、アングル部４ａ，４ｂが納まるしゃくり２４を設けたしゃくり付きの額縁となっている。この場合、コーナー部品３は、縦枠１側の覆い部２２ａを折り取ってある。覆い部２２ａは、先に述べたように付け根部分に室内側から溝２３が形成してあり、その溝２３の位置で切り離すことで、覆い部２２ａの切断面２５が見込方向に形成される。下枠２側の覆い部２２ｂは、残してある。
【００１７】
図１３〜１５は、第１実施形態の建具の他の変形例であって、コーナー部品３は見込方向移動規制部７を縦枠１の突出壁５に係合し、アングル部４ｂ，４ｃの見付部２１を覆う覆い部２２ａ，２２ｂを縦枠１側、横枠（下枠２）側とも折り取った場合を示している。本建具は、腰窓タイプの引違い窓となっており、図１３に示すように、四周の額縁１３の全てがアングル４ａ，４ｂ，４ｃの納まるしゃくり２４付きの額縁となっている。この場合、コーナー部品３は、図１５に示すように、縦枠１側と横枠（下枠２）側の覆い部２２ａ，２２ｂを両方とも折り取る。
【００１８】
図１６は、本発明の建具の第２実施形態を示している。本建具は、横枠（上枠１２）に内周側に突出する突出壁５を有し、縦枠１に突出壁５を有しないものとなっており、コーナー部品３は見込方向移動規制部７を横枠（上枠１２）の突出壁５に係合している。本建具は、上枠１２と縦枠１とのコーナー部にコーナー部品３が取付けてあり、コーナー部品３により上枠１２のアングル部４ａと縦枠１のアングル部４ｂとを繋いでいる。コーナー部品３は、図７等に示したものと同じものを、９０°回転した姿勢で用いている。
【００１９】
図１７〜２０は、本発明の建具の第３実施形態であって、コーナー部品３は見込方向移動規制部（見付壁１８）を縦枠１の突出壁５に接着する場合を示している。コーナー部品３は、縦枠１のアングル部４ｂの内周側に当接する縦壁１６と、下枠２のアングル部４ｃの内周側に当接する横壁１７と、縦枠１の突出壁５の室内側に当接する見付壁１８と、縦枠１のアングル部４ｂの長手方向端部２０ａと下枠２のアングル部４ｃの長手方向端部２０ｂ間に保持される回転規制部６を有している。本コーナー部品３は、図２０に示すように、回転規制部６を縦枠１のアングル部４ｂの長手方向端部２０ａと下枠２のアングル部４ｃの長手方向端部２０ｂ間に保持することで回転を規制し、図１７に示すように、見付壁１８を縦枠１の突出壁５に両面テープ２６で接着することにより、見込方向の移動を規制している。図１９においてハッチングした部分２７は、コーナー部品３の見付壁１８が両面テープ２６で接着される部分である。コーナー部品３にアングル部４ｂ，４ｃの見付部２１を覆う覆い部２２ａ，２２ｂを有し、覆い部２２ａ，２２ｂが折り取り自在である点は、第１実施形態と同様である。
【００２０】
図２１〜２４は、本発明の建具の第４実施形態であって、枠８は縦枠１及び横枠（下枠２）に突出壁５が無く、コーナー部品３は見込方向移動規制部（係合部２８）をアングル部４ｂ，４ｃに係合する場合を示している。コーナー部品３は、縦枠１のアングル部４ｂの内周側に当接する縦壁１６と、下枠２のアングル部４ｃの内周側に当接する横壁１７と、縦枠１のアングル部４ｂの長手方向端部２０ａと下枠２のアングル部４ｃの長手方向端部２０ｂ間に保持される回転規制部６を有している。回転規制部６は、図２４に示すように、縦枠１のアングル部４ｂの長手方向端部２０ａと下枠２のアングル部４ｃの長手方向端部２０ｂ間に内周側から弾発的に係止するものとなっている。縦壁１６と横壁１７には、図２１に示すように、縦枠１及び下枠２のアングル部４ｂ，４ｃと係合する係合部２８（見込方向移動規制部）を有しており、係合部２８をアングル部４ｂ，４ｃと係合することでコーナー部品３の見込み方向の移動を規制している。
【００２１】
以上に述べたように本発明の建具は、コーナー部品３に縦枠１のアングル部４ｂの長手方向端部２０ａと横枠（下枠２）のアングル部４ｃの長手方向端部２０ｂ間に保持される回転規制部６と、突出壁５に係合（第１，第２実施形態）又は接着（第３実施形態）される見込方向移動規制部７，１８を有することで、コーナー部品３の取付けにネジ止めが不要であり、施工性・メンテナンス性が良い。
第１・第２実施形態の建具のコーナー部品３は、回転規制部６が枠８の内周側から弾発的に係合するようにしたので、コーナー部品３の取付け・取外しが一層容易に行え、また、アングル部４ｂ，４ｃの長手方向端部の切欠き寸法に多少の誤差があっても、コーナー部品３をがたつきなく安定して取付けできる。
本発明の建具（第４実施形態）は、コーナー部品３に縦枠１のアングル部４ｂの長手方向端部２０ａと横枠（下枠２）のアングル部４ｃの長手方向端部２０ｂ間に保持される回転規制部６と、縦枠１又は横枠（下枠２）のアングル部４ｂ，４ｃと係合する見込方向移動規制部（係合部２８）を有することで、コーナー部品３の取付けにネジ止めが不要であり、施工性・メンテナンス性が良い。
【００２２】
また、本発明の建具は、コーナー部品３に縦枠１及び横枠（下枠２）のアングル部４ｂ，４ｃの見付部２１を覆う覆い部２２ａ，２２ｂを有していることで、正面から見て縦枠１及び横枠（下枠２）のアングル部４ｂ，４ｃがコーナー部品３の覆い部２２ａ，２２ｂで隠れるため、意匠性が向上する。さらに、縦枠１側の覆い部２２ａと横枠側の覆い部２２ｂの少なくとも一方が折り取り自在であるため、額縁１３等の造作材の形状に合わせた現場施工が容易に行える。
さらに本発明の建具は、コーナー部品３の覆い部２２ａ，２２ｂを折り取ったときに、その切断面２５が見込方向に形成されるため、切断面２５が外部に露出せず意匠性が良い。
【００２３】
本発明は以上に述べた実施形態に限定されない。コーナー部品の形状、材質は、適宜変更することができる。枠は、樹脂枠に限定されず、金属枠や金属と樹脂の複合枠であってもよい。窓の種類は任意であり、引違い窓に限らず、片引き窓、すべり出し窓、嵌め殺し窓など、あらゆる窓種に対応できる。
【符号の説明】
【００２４】
１  縦枠
２  下枠（横枠）
３  コーナー部品
４ａ，４ｂ，４ｃ  アングル部
５  突出壁
６  回転規制部
７  見込方向移動規制部
１２  上枠（横枠）
１８  見付壁（見込方向移動規制部）
２１  アングル部の見付部
２２ａ，２２ｂ  覆い部
２８  係合部（見込方向移動規制部）
【図１】
2019078075.tif 000003
【図２】
2019078075.tif 000004
【図３】
2019078075.tif 000005
【図４】
2019078075.tif 000006
【図５】
2019078075.tif 000007
【図６】
2019078075.tif 000008
【図７】
2019078075.tif 000009
【図８】
2019078075.tif 000010
【図９】
2019078075.tif 000011
【図１０】
2019078075.tif 000012
【図１１】
2019078075.tif 000013
【図１２】
2019078075.tif 000014
【図１３】
2019078075.tif 000015
【図１４】
2019078075.tif 000016
【図１５】
2019078075.tif 000017
【図１６】
2019078075.tif 000018
【図１７】
2019078075.tif 000019
【図１８】
2019078075.tif 000020
【図１９】
2019078075.tif 000021
【図２０】
2019078075.tif 000022
【図２１】
2019078075.tif 000023
【図２２】
2019078075.tif 000024
【図２３】
2019078075.tif 000025
【図２４】
2019078075.tif 000026